(57)【要約】【課題】コストアップを抑えつつ、原稿読取部の延命を図り、原稿の取り忘れを的確に検出する。【解決手段】原稿読取部５にプラテンガラスに載置された原稿を読み取らせるとともに、ジョブが完了した時点からの時間を計測し、予め定められた設定時間が経過すると、原稿読取部５にプラテンガラスの簡易スキャンを行わせる制御部１００と、原稿読取部５による簡易スキャンの読み取りで得られた画像データに基づいて、プラテンガラスに原稿が載置されていると判断した場合、原稿の取り忘れを知らせる警告を行う警告制御部１０４とを備え、制御部１００が、時間の計測を開始してから予め定められた設定期間が経過した場合にのみ、原稿読取部５に原稿検出のための上記簡易スキャンを行わせる。【選択図】図２
2018056728.tif 000002
【特許請求の範囲】
【請求項１】
ユーザーからの操作入力を受け付ける操作受付部と、
原稿を載置するためのプラテンガラスと、
前記プラテンガラスに載置された原稿を読み取る原稿読取部と、
前記操作受付部が受け付けたユーザーからのジョブの実行指示に基づいて、前記原稿読取部に前記プラテンガラスに載置された原稿の画像を読み取るための読取動作を行わせ、前記原稿の画像読取のための読取動作よりも簡易な読取条件で、前記プラテンガラス上における原稿の有無を検出するための簡易スキャンを前記原稿読取部に行わせる制御部と、
前記原稿読取部による前記簡易スキャンの読み取りで得られた画像データに基づいて、前記プラテンガラスに原稿が載置されていると判断した場合、原稿の取り忘れを知らせる警告を行う警告制御部と、を備え、
前記制御部は、前記ジョブが完了した時点又は前記ジョブの結果に対するユーザーの行動が完了した時点からの時間を計測し、この計測により予め定められた設定時間が経過した場合に限り、前記原稿読取部に前記簡易スキャンを行わせる画像読取装置。
【請求項２】
前記制御部は、前記時間の計測を開始してから前記予め定められた設定期間が経過するまでに、前記操作受付部が前記プラテンガラスに載置されている原稿の存在をユーザーが取り除いたことを示すユーザー操作を受け付けた場合は、前記原稿読取部に前記簡易スキャンを行わせるか否かを判断する制御を中止して、前記原稿読取部に前記簡易スキャンを行わせない請求項１に記載の画像読取装置。
【請求項３】
前記制御部は、前記時間の計測を開始してから前記予め定められた設定期間が経過するまでに、前記操作受付部が前記プラテンガラスに載置されている原稿の存在をユーザーが認識していることを示すユーザー操作を受け付けた場合は、前記原稿読取部に前記簡易スキャンを行わせるか否かを判断する制御を中止して、前記原稿読取部に前記簡易スキャンを行わせない請求項１又は請求項２に記載の画像読取装置。
【請求項４】
前記原稿読取部による読み取りで得られた原稿の画像データを、前記操作受付部が受け付けた宛先に送信するスキャン送信部を備え、
前記制御部は、前記ジョブがスキャン送信である場合、前記スキャン送信部によるスキャン送信が完了した時点を前記ジョブが完了した時点として、前記時間の計測を開始する請求項１乃至請求項３のいずれかに記載の画像読取装置。
【請求項５】
請求項１乃至請求項４のいずれかに記載の画像読取装置と、
前記原稿読取部による読み取りで得られた原稿の画像データに基づいて、記録媒体に画像を形成する画像形成部と、
前記画像形成部により画像が形成された記録媒体が排出される排出トレイと、
前記排出トレイに排出された記録媒体の有無を検知する検知部と、を備え、
前記制御部は、前記ジョブがコピーである場合、前記検知部による検知結果に基づいて、前記排出トレイに排出された記録媒体がユーザーにより取り除かれたと判断した時点を、前記ジョブの結果に対するユーザーの行動が完了した時点として、前記時間の計測を開始する画像形成装置。
【発明の詳細な説明】
【技術分野】
【０００１】
本発明は、画像読取装置及び画像形成装置に関し、特に、原稿の取り忘れを検出する技術に関する。
【背景技術】
【０００２】
コピー機等においてガラスに載置された原稿の取り忘れを検出する技術としては、例えば、下記の特許文献１に、原稿台（プラテンガラス）上における原稿の有無を検知する原稿有無検知センサーを設け、原稿有無検知センサーが原稿ありと検知している状態で、プリント済みの用紙（印刷物）が排紙トレイから取り除かれると、原稿の取り忘れをユーザーへ知らせる技術について記載されている。
【０００３】
しかしながら、原稿有無検知センサーを設けると、コストアップしてしまうという問題がある。このような問題を解決するものとして、例えば、下記の特許文献２に、原稿台（プラテンガラス）をスキャンすることにより、原稿台上における原稿の有無を検知し、コストアップを回避することが記載されている。
【先行技術文献】
【特許文献】
【０００４】
【特許文献１】特開平１０−３２２４８９号公報
【特許文献２】特開２００１−０１６４０７号公報
【発明の概要】
【発明が解決しようとする課題】
【０００５】
しかしながら、上記の特許文献２に記載された技術では、原稿の画像を読み取るためではなく、原稿有無の検知のために、原稿読取部（スキャナー）を駆動させなければならず、原稿読取部の駆動時間増加により、原稿読取部の寿命を縮めるおそれがある。
【０００６】
本発明は、上記の事情に鑑みなされたものであり、コストアップを抑えつつ、原稿読取部の延命を図り、原稿の取り忘れを的確に検出することを目的とする。
【課題を解決するための手段】
【０００７】
本発明の一局面に係る画像形成装置は、ユーザーからの操作入力を受け付ける操作受付部と、原稿を載置するためのプラテンガラスと、前記プラテンガラスに載置された原稿を読み取る原稿読取部と、前記操作受付部が受け付けたユーザーからのジョブの実行指示に基づいて、前記原稿読取部に前記プラテンガラスに載置された原稿の画像を読み取るための読取動作を行わせ、前記原稿の画像読取のための読取動作よりも簡易な読取条件で、前記プラテンガラス上における原稿の有無を検出するための簡易スキャンを前記原稿読取部に行わせる制御部と、前記原稿読取部による前記簡易スキャンの読み取りで得られた画像データに基づいて、前記プラテンガラスに原稿が載置されていると判断した場合、原稿の取り忘れを知らせる警告を行う警告制御部と、を備え、前記制御部は、前記ジョブが完了した時点又は前記ジョブの結果に対するユーザーの行動が完了した時点からの時間を計測し、この計測により予め定められた設定時間が経過した場合に限り、前記原稿読取部に前記簡易スキャンを行わせるものである。
【発明の効果】
【０００８】
本発明によれば、ジョブが完了した時点（例えば、スキャン送信が完了した時点）又はジョブの結果に対するユーザーの行動が完了した時点（例えば、排出トレイに排出された印刷物をユーザーが取り除く作業が行われた時点）から、予め定められた設定時間が経過すると、原稿読取部によるプラテンガラスのスキャンが行われる。そして、当該スキャンの読み取りで得られた画像データに基づいて、プラテンガラスに原稿が載置されていると判断された場合、原稿の取り忘れを知らせる警告が行われる。
【０００９】
従って、プラテンガラスのスキャンにより、プラテンガラス上における原稿の有無が検知されるので、原稿有無検知センサーを設けなくてよく、コストアップを抑えることができる。また、当該スキャンは、原稿の有無を検知するのに十分な程度の簡易スキャンであるので、スキャン時に掛かる制御負荷を軽減することもできる。
【００１０】
また、簡易スキャンは、時間の計測を開始してから予め定められた設定時間が経過すると行われるが、時間の計測中に操作受付部がプラテンガラスに載置されている原稿の存在をユーザーが認識していることを示すユーザー操作を受け付けた場合、当該簡易スキャンは行われない。プラテンガラスに載置されている原稿の存在をユーザーが認識している場合（原稿の存在を忘れていない場合）、原稿の取り忘れを知らせる警告、及び簡易スキャンを行う必要がないためである。
【００１１】
これにより、原稿の取り忘れの的確な検出を確保しつつ、不必要な簡易スキャンが行われる事態が回避され、簡易スキャンが行われる回数が低減されるため、原稿読取部の駆動時間を削減して、原稿読取部の延命を図ることができる。
【図面の簡単な説明】
【００１２】
【図１】本発明の一実施形態に係る画像形成装置の外観を示した斜視図である。
【図２】一実施形態に係る画像形成装置の主要内部構成を概略的に示した機能ブロック図である。
【図３】画像形成装置における制御ユニットで行われる原稿検出及び報知処理の一例を示すフローチャートである。
【図４】画像形成装置における制御ユニットで行われる原稿検出及び報知処理の一例を示すフローチャートである。
【図５】表示部に表示される操作画面の一例を示した図である。
【図６】表示部に表示される操作画面の一例を示した図である。
【発明を実施するための形態】
【００１３】
以下、本発明の一実施形態に係る画像読取装置及び画像形成装置について図面を参照して説明する。図１は、本発明の一実施形態に係る画像形成装置の外観を示した斜視図である。図２は、一実施形態に係る画像形成装置の主要内部構成を概略的に示した機能ブロック図である。
【００１４】
画像形成装置１は、例えば、コピー機能、プリンター機能、スキャナー機能、及びファクシミリ機能のような複数の機能を兼ね備えた複合機であり、制御ユニット１０、原稿給送部６、原稿読取部５、画像形成部１２、画像メモリー３２、ＨＤＤ（Hard Disk Drive）９２、定着部１３、給紙部１４、検知センサー１５、操作部４７、ネットワークインターフェイス部９１、及びブザー音発生部１７を含んで構成されている。
【００１５】
原稿読取部５は、光照射部を使って原稿を照射し、その反射光を受光することによって、原稿から画像を読み取る。原稿読取部５は、原稿給送部６から搬送されてきた原稿を読み取るための搬送読取用プラテンガラス（コンタクトガラス）１６１と、原稿を載置するための載置読取用プラテンガラス１６２と、を備えている。なお、載置読取用プラテンガラス１６２は、特許請求の範囲におけるプラテンガラスの一例である。
【００１６】
原稿給送部６は、読取対象の原稿を原稿読取部５へ給送する。また、原稿給送部６は、原稿読取部５の上面にヒンジ等によって開閉可能に構成され、原稿給送部６は、載置読取用プラテンガラス１６２上に載置された原稿を読み取る場合に原稿押さえカバーとして機能する。
【００１７】
画像形成部１２は、印刷すべき画像のトナー像を用紙（記録媒体）上に形成する。画像メモリー３２は、原稿読取部５による読み取りで得られた原稿の画像データを一時的に記憶したり、画像形成部１２のプリント対象となるデータを一時的に保存したりするための領域である。
【００１８】
ＨＤＤ９２は、原稿読取部５によって読み取られた原稿画像等を記憶する大容量の記憶装置である。定着部１３は、用紙上のトナー像を、熱圧着により用紙に定着させるものであり、定着処理が施された用紙は、排出トレイ１５１に排出される。給紙部１４は、給紙カセットに収容された用紙をピックアップして搬送する。
【００１９】
検知センサー１５は、排出トレイ１５１に排出された用紙の有無を検知し、検知信号を制御ユニット１０に出力する。検知センサー１５としては、例えば、排出トレイ１５１に積載されている用紙の有無を検知する光センサーや、排出トレイ１５１に積載された用紙が接触してオンオフする機械式センサー、或いは、排出トレイ１５１における用紙の積載量を検知する重量センサー等が挙げられる。なお、検知センサー１５は、特許請求の範囲における検知部の一例である。
【００２０】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００２１】
ネットワークインターフェイス部９１は、ＬＡＮ（Local Area Network）ボード等の通信モジュールを含んで構成され、ネットワークインターフェイス部９１に接続されたＬＡＮ等を介して、ローカルエリア内、又はインターネット上のパーソナルコンピューター（ＰＣ）等の外部装置２０と種々のデータの送受信を行うものである。ブザー音発生部１７は、ブザー音を発生させる。
【００２２】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、ＭＰＵ（Micro Processing Unit）等である。制御ユニット１０は、制御部１００と、操作受付部１０１と、表示制御部１０２と、スキャン送信部１０３と、警告制御部１０４とを備えている。
【００２３】
制御ユニット１０は、ＨＤＤ９２に記憶されている制御プログラムに従った上記プロセッサーによる動作により、制御部１００、操作受付部１０１、表示制御部１０２、スキャン送信部１０３、及び警告制御部１０４として機能するものである。但し、制御部１００等は、制御ユニット１０による制御プログラムに従った動作によらず、ハードウェア回路により構成することも可能である。以下、特に触れない限り、各実施形態について同様である。
【００２４】
制御部１００は、画像形成装置１の全体的な動作制御を司る。制御部１００は、原稿給送部６、原稿読取部５、画像形成部１２、画像メモリー３２、ＨＤＤ９２、定着部１３、給紙部１４、検知センサー１５、操作部４７、及びネットワークインターフェイス部９１と接続され、これら各部の駆動制御等を行う。
【００２５】
操作受付部１０１は、操作部４７を介したユーザーからの操作入力を受け付ける。表示制御部１０２は、表示部４７３の表示制御を行う。スキャン送信部１０３は、原稿読取部５による読み取りで得られた原稿の画像データを、操作受付部１０１が受け付けた宛先（外部装置２０）にネットワークインターフェイス部９１を介して送信させる制御を行う。警告制御部１０４は、載置読取用プラテンガラス１６２に載置された原稿の取り忘れを知らせる警告をブザー音発生部１７に行わせる制御を行う。
【００２６】
操作受付部１０１は、各種ジョブの実行指示を受け付ける。例えば、操作受付部１０１がコピーの実行指示を受け付けると、制御部１００が、この指示に基づいて、原稿給送部６、原稿読取部５、及び画像形成部１２等を制御することによって、原稿給送部６から搬送読取用プラテンガラス１６１へ搬送された原稿や載置読取用プラテンガラス１６２に載置された原稿を原稿読取部５に読み取らせ、原稿読取部５による読み取りで得られた原稿の画像データに基づいて、画像形成部１２に用紙に画像を形成させ、画像が形成された用紙を排出トレイ１５１に排出させる。
【００２７】
また、操作受付部１０１がスキャン送信の実行指示を受け付けると、制御部１００は、この指示に従って、原稿読取部５を制御することによって、載置読取用プラテンガラス１６２に載置された原稿を原稿読取部５に読み取らせ、スキャン送信部１０３が、原稿読取部５による読み取りで得られた原稿の画像データを、操作受付部１０１が受け付けた宛先（外部装置２０）にネットワークインターフェイス部９１を介して送信する。
【００２８】
次に、制御ユニット１０で行われる原稿検出及び報知処理の一例について、図３、図４に示したフローチャートに基づいて説明する。なお、この原稿検出及び報知処理は、操作受付部１０１が、コピー又はスキャン送信の指示を受け付け、原稿読取部５によって、載置読取用プラテンガラス１６２に載置された原稿の読み取りが行われた場合に行われる。
【００２９】
まず、制御部１００が、操作受付部１０１が受け付けたユーザーから実行指示されたジョブがコピー及びスキャン送信のいずれであるかを判断する（Ｓ１）。ここで、制御部１００は、コピーであると判断した場合（Ｓ１で「コピー」）、検知センサー１５から得られる検知信号が、排出トレイ１５１に排出された記録媒体（印刷物）が取り除かれたことを示すか否かを更に判断する（Ｓ２）。すなわち、制御部１００は、コピーの結果物である印刷物が排出トレイ１５１からユーザーによって回収されたか否かを判断する。
【００３０】
制御部１００が、検知センサー１５から得られる検知信号が上記記録媒体が取り除かれたことを示すと判断した場合（Ｓ２でＹＥＳ）、制御部１００は、タイマーＴＡを０にリセットして時間の計測を開始する（Ｓ３）。この時点では、制御部１００は、原稿読取部５に簡易スキャンを未だ行わせない。更に、表示制御部１０２が、表示部４７３に、図５に例を示す注意画面Ｄ１を表示させる（Ｓ４）。なお、Ｓ３とＳ４はいずれが先に行われても構わない。
【００３１】
図５に示すように、注意画面Ｄ１は、載置読取用プラテンガラス１６２から原稿を回収したかをユーザーに問うメッセージＭ１の画像と、ユーザーから原稿を回収したことを示す信号の入力を受け付けるための操作ボタンＢ１の画像と、ユーザーから原稿を載置読取用プラテンガラス１６２に載置したまま継続して作業を行うことを示す信号の入力を受け付けるための操作ボタンＢ２の画像とを有する。例えば、メッセージＭ１として「プラテンガラスから原稿を取り除きましたか？」が表示され、操作ボタンＢ１には「Job Done. Retrieve Original」と表示され、操作ボタンＢ２は「Continue」と表示される。
【００３２】
また、Ｓ１において、制御部１００が、操作受付部１０１が受け付けたユーザーから実行指示されたジョブがスキャン送信であると判断した場合（Ｓ１でスキャン送信）、制御部１００は、スキャン送信部１０３によるスキャン送信が完了したか否かを判断する（Ｓ８）。制御部１００が、スキャン送信が完了した（すなわち、ジョブが完了した）と判断した場合（Ｓ８でＹＥＳ）、処理はＳ３及びＳ４に進む。
【００３３】
Ｓ３及びＳ４の後、制御部１００は、タイマーＴＡが予め定められた設定時間Ｔ１を計測したか否かを判断する（Ｓ５）。ここで、制御部１００が、タイマーＴＡが設定時間Ｔ１を計測するまでの間に（Ｓ５でＮＯ）、操作受付部１０１が注意画面Ｄ１における操作ボタンＢ１の操作によりタッチパネル機能により上記原稿を回収したことを示す信号を受け付けた場合は（Ｓ６でＹＥＳ）、表示制御部１０２が、表示部４７３に注意画面Ｄ１の表示を停止させる（Ｓ１０）。
【００３４】
また、操作受付部１０１が、操作受付部１０１が操作ボタンＢ１の操作を受け付けておらず（Ｓ６でＮＯ）、注意画面Ｄ１における操作ボタンＢ２の操作によりタッチパネル機能により上記継続して作業を行うことを示す信号を受け付けた場合は（Ｓ７でＹＥＳ）、処理はＳ３へ戻る。すなわち、タイマーＴＡを０にリセットして時間の計測が再び開始され（Ｓ３）、ユーザーに対する注意画面Ｄ１による注意喚起が時間を延長して再度行われる（Ｓ４）。
【００３５】
一方、操作受付部１０１が、上記原稿を回収したことを示す信号及び上記継続して作業を行うことを示す信号のいずれも受け付けることなく（Ｓ６でＮＯ，Ｓ７でＮＯ）、制御部１００が、タイマーＴＡが設定時間Ｔ１を計測したと判断した場合（Ｓ５でＹＥＳ）、制御部１００は、操作受付部１０１がコピー又はスキャン送信の指示を受け付けた場合に行われる原稿読取部５の読み取りよりも簡易な読取条件で、原稿読取部５に載置読取用プラテンガラス１６２の簡易スキャンを行わせる（Ｓ９）。この後、処理はＳ１１に進む（図４）。
【００３６】
なお、上記簡易な読取条件とは、例えば、(1)読取解像度を通常の原稿読取時よりも低くする、(2)原稿読取範囲を通常の原稿読取時よりも狭くする、又は、(3)原稿読取時の照明照度を通常の原稿読取時よりも低くする等の条件である。
【００３７】
Ｓ１１（図４）では、警告制御部１０４が、原稿読取部５による簡易スキャンの読み取りで得られた画像データに基づいて、載置読取用プラテンガラス１６２に原稿が載置されているか否かを判断する（Ｓ１１）。例えば、警告制御部１０４は、当該画像データに、白色以外の色データが一定範囲にわたって存在する場合、載置読取用プラテンガラス１６２に原稿が載置されていると判断する。載置読取用プラテンガラス１６２に原稿が載置されていなければ、画像データのほとんどは白色を示すためである。
【００３８】
警告制御部１０４が、載置読取用プラテンガラス１６２に原稿が載置されていないと判断した場合（Ｓ１１でＮＯ）、表示制御部１０２が、表示部４７３に注意画面Ｄ１の表示を停止させて（Ｓ１７）、処理は終了する。
【００３９】
一方、警告制御部１０４が、載置読取用プラテンガラス１６２に原稿が載置されていると判断した場合（Ｓ１１でＹＥＳ）、制御部１００は、タイマーＴＢを０にリセットして時間の計測を開始する（Ｓ１２）。また、表示制御部１０２は、上記注意画面Ｄ１を、原稿の取り忘れを示す警告画面Ｄ２（図６）に切り換えて、表示部４７３に表示させる（Ｓ１３）。
【００４０】
図６は、表示部４７３に表示される警告画面Ｄ２の一例を示した図である。警告画面Ｄ２には、「原稿を取り忘れています」旨を示すメッセージＭ２の画像と、ユーザーから原稿を回収したことを示す信号の入力を受け付けるための操作ボタンＢ１の画像とが表示される。操作ボタンＢ１の表示内容は、図５を用いて示した上記内容と同様である。
【００４１】
続いて、制御部１００は、タイマーＴＢが予め定められた設定時間Ｔ２を計測したか否かを判断する（Ｓ１５）。ここで、制御部１００が、タイマーＴＢが設定時間Ｔ２を計測するまでの間に（Ｓ１５でＮＯ）、操作受付部１０１が警告画面Ｄ２における操作ボタンＢ１の操作により上記原稿を回収したことを示す信号を受け付けた場合は（Ｓ１６でＹＥＳ）、表示制御部１０２が、表示部４７３に警告画面Ｄ２の表示を停止させる（Ｓ１７）。この後、処理は終了する。
【００４２】
一方、操作受付部１０１が、上記原稿を回収したことを示す信号を受け付けることなく（Ｓ１５でＮＯ，Ｓ１６でＮＯ）、制御部１００が、タイマーＴＢが設定時間Ｔ２を計測したと判断した場合は（Ｓ１５でＹＥＳ）、警告制御部１０４が、ブザー音発生部１７を制御してブザー音を発生させる（Ｓ１８）。これにより、原稿の取り忘れをユーザーに知らせる。
【００４３】
上記実施形態によれば、ユーザーから実行指示されたジョブがコピーの場合は、排出トレイ１５１に排出された記録媒体（印刷物）が取り除かれた時点から、一方、ユーザーから実行指示されたジョブがスキャン送信の場合は、スキャン送信が完了した時点から、予め定められた設定時間Ｔ１が経過した場合に限り、原稿読取部５による載置読取用プラテンガラス１６２の簡易スキャンが行われる。そして、当該簡易スキャンの読み取りで得られた画像データに基づいて、載置読取用プラテンガラス１６２に原稿が載置されていると判断された場合、まず、警告画面Ｄ２が表示部４７３に表示され、その後、予め定められた設定時間Ｔ２が経過しても、原稿が回収されなかった場合、ブザー音が発生し、原稿の取り忘れがユーザーに知らされる。
【００４４】
従って、載置読取用プラテンガラス１６２のスキャンにより、載置読取用プラテンガラス１６２上における原稿の有無が検知されるので、原稿有無検知センサーを設けなくてよく、コストアップを抑えることができる。また、当該スキャンは、原稿の有無を検知するのに足りる程度の簡易なスキャンであるので、スキャン時に掛かる制御負荷を軽減することもできる。
【００４５】
また、簡易スキャンは、時間の計測を開始してから予め定められた設定時間Ｔ１が経過すると行われるが、設定時間Ｔ１の計測中に、操作受付部１０１が上記原稿を回収したことを示す信号を受け付けた場合には、当該簡易スキャンは行われない。また、操作受付部１０１が上記継続して作業を行うことを示す信号を受け付けた場合にも、当該簡易スキャンは行われない。従って、簡易スキャンは原稿検出が真に必要な場合に限定して行われるので、原稿読取部５の駆動時間を低減でき、原稿読取部５の延命を図ることができる。
【００４６】
従って、上記実施形態によれば、原稿の取り忘れの的確な検出を確保しつつ、不必要な簡易スキャンが行われる事態が回避され、簡易スキャンが行われる回数が低減されるため、原稿読取部の駆動時間を削減して、原稿読取部の延命を図ることができる。
【００４７】
なお、上記一実施形態では、ブザー音を発生させることによって、原稿の取り忘れを知らせる警告を行う場合について説明しているが、当該警告はこれに限定されず、例えば、別の実施形態として、警告制御部１０４が、ネットワークインターフェイス部９１を介して、予め定められた管理者の使用する外部装置２０へメールにて原稿の取り忘れを通知するようにしても良い。
【００４８】
また、上記実施形態では、図１乃至図６を用いて上記実施形態により示した構成及び処理は、本発明の一実施形態に過ぎず、本発明を当該構成及び処理に限定する趣旨ではない。
【符号の説明】
【００４９】
１        画像形成装置
５        原稿読取部
１０      制御ユニット
１２      画像形成部
１５      検知センサー
１００    制御部
１０１    操作受付部
１０２    表示制御部
１０３    スキャン送信部
１０４    警告制御部
１６２    載置読取用プラテンガラス
４７３    表示部
【図１】
2018056728.tif 000003
【図２】
2018056728.tif 000004
【図３】
2018056728.tif 000005
【図４】
2018056728.tif 000006
【図５】
2018056728.tif 000007
【図６】
2018056728.tif 000008